(57)【要約】【課題】ハイライトカラー印刷において、複数のトナー色が混在する印刷ジョブを効率的に印刷することが可能な画像処理装置および方法を提供する【解決手段】印刷判定手段は、画像データに黒以外の色が使用されていることを認識した場合、当該色が画像形成装置の実装色と一致するか否か判定し、実装色と一致すると判定した場合は画像データの印刷を許可し、実装色と一致しないと判定した場合は画像データの印刷を保留するという印刷判定を行い、印刷ジョブ制御部は印刷判定手段が印刷判定に従って画像データの印刷または印刷の保留の制御を行う。【選択図】図１
2008093976.tif 000002
【特許請求の範囲】
【請求項１】
画像データを処理してプリント画像データを作成し、該作成したプリント画像データを画像形成装置に出力する画像処理装置において、
前記画像データの処理を印刷ジョブとして制御する印刷ジョブ制御手段と、
前記画像形成装置に実装されている印刷資源に応じて、ページ毎の印刷の許可／保留を判定する印刷判定手段と
を具備し、
前記印刷ジョブ制御手段は、
前記印刷判定手段で印刷の許可が判定されたページのみを印刷する
ことを特徴とする画像処理装置。
【請求項２】
前記印刷判定手段は、
前記画像形成装置に実装されている印刷資源で印刷が可能なページの印刷を許可する
ことを特徴とする請求項１記載の画像処理装置。
【請求項３】
前記画像形成装置は、
前記印刷資源として少なくとも２色分のトナーを実装し、
前記印刷判定手段は、
前記画像形成装置に実装されているトナーで印刷が可能なページの印刷を許可する
ことを特徴とする請求項２記載の画像処理装置。
【請求項４】
前記印刷ジョブ制御手段は、
前記印刷の許可が判定されたページを印刷済みページとして記憶し、前記印刷の保留が判定されたページを未印刷ページとして記憶し、
前記印刷判定手段は、
前記画像形成装置のトナーが交換された際に、前記印刷ジョブ制御手段で記憶された未印刷ページから前記交換されたトナーで印刷が可能なページの印刷を許可する
ことを特徴とする請求項３記載の画像処理装置。
【請求項５】
前記画像形成装置は、
前記印刷資源として少なくとも１つの交換不可能な固定トナー、および少なくとも１つの交換可能な交換トナーを実装し、
前記印刷判定手段は、
前記交換トナーでしか印刷が不可能なページの印刷を許可し、前記固定トナーのみで印刷が可能なページの印刷を保留する
ことを特徴とする請求項４記載の画像処理装置。
【請求項６】
前記印刷ジョブ制御手段は、
全てのページが印刷済みとして記憶したときに、前記印刷ジョブを終了する
ことを特徴とする請求項４記載の画像処理装置。
【請求項７】
前記印刷ジョブ制御手段は、
前記印刷ジョブが終了したとき、印刷された用紙がページ順に並ぶように、前記画像形成装置の出力処理を制御する
ことを特徴とする請求項４記載の画像処理装置。
【請求項８】
前記印刷ジョブ制御手段は、
前記印刷の許可が判定されたページを印刷する際に、所定枚数毎に合紙を出力する
ことを特徴とする請求項１記載の画像処理装置。
【請求項９】
前記印刷ジョブ制御手段は、
前記印刷の許可が判定されたページの印刷が終了したとき、他の印刷ジョブが存在する場合、該他の印刷ジョブの処理を行う
ことを特徴とする請求項６記載の画像処理装置。
【請求項１０】
前記印刷ジョブ制御手段は、
前記印刷ジョブが終了するまで他の印刷ジョブの処理を行わない
ことを特徴とする請求項６記載の画像処理装置。
【請求項１１】
画像データを処理してプリント画像データを作成し、該作成したプリント画像データを画像形成装置に出力する画像処理方法において、
印刷ジョブ制御手段が、前記画像データの処理を印刷ジョブとして制御し、
印刷判定手段が、前記画像形成装置に実装されている印刷資源に応じて、ページ毎の印刷の許可／保留を判定し、
前記印刷ジョブ制御手段が、前記印刷の許可が判定されたページのみを印刷する
ことを特徴とする画像処理方法。
【請求項１２】
前記印刷判定手段は、
前記画像形成装置に実装されている印刷資源で印刷が可能なページの印刷を許可する
ことを特徴とする請求項１１記載の画像処理方法。
【請求項１３】
前記画像形成装置は、
前記印刷資源として少なくとも２色分のトナーを実装し、
前記印刷判定手段は、
前記画像形成装置に実装されているトナーで印刷が可能なページの印刷を許可する
ことを特徴とする請求項１２記載の画像処理方法。
【請求項１４】
前記印刷ジョブ制御手段は、
前記印刷の許可が判定されたページを印刷済みページとして記憶し、前記印刷の保留が判定されたページを未印刷ページとして記憶し、
前記印刷判定手段は、
前記画像形成装置のトナーが交換された際に、前記記憶された未印刷ページから前記交換されたトナーで印刷が可能なページの印刷を許可する
ことを特徴とする請求項１３記載の画像処理方法。
【請求項１５】
前記画像形成装置は、
前記印刷資源として少なくとも１つの交換不可能な固定トナー、および少なくとも１つの交換可能な交換トナーを実装し、
前記印刷判定手段は、
前記交換トナーでしか印刷が不可能なページの印刷を許可し、前記固定トナーのみで印刷が可能なページの印刷を保留する
ことを特徴とする請求項１４記載の画像処理方法。
【請求項１６】
前記印刷ジョブ制御手段は、
全てのページが印刷済みとして記憶したときに、前記印刷ジョブを終了する
ことを特徴とする請求項１４記載の画像処理方法。
【請求項１７】
前記印刷ジョブ制御手段は、
前記印刷ジョブが終了したとき、印刷された用紙がページ順に並ぶように、前記画像形成装置の出力処理を制御する
ことを特徴とする請求項１４記載の画像処理方法。
【請求項１８】
前記印刷ジョブ制御手段は、
前記印刷の許可が判定されたページを印刷する際に、所定枚数毎に合紙を出力する
ことを特徴とする請求項１１記載の画像処理方法。
【請求項１９】
前記印刷ジョブ制御手段は、
前記印刷の許可が判定されたページの印刷が終了したとき、他の印刷ジョブが存在する場合、該他の印刷ジョブの処理を行う
ことを特徴とする請求項１６記載の画像処理方法。
【請求項２０】
前記印刷ジョブ制御手段は、
前記印刷ジョブが終了するまで他の印刷ジョブの処理を行わない
ことを特徴とする請求項１６記載の画像処理方法。
【発明の詳細な説明】
【技術分野】
【０００１】
本発明は、画像処理装置および方法に関し、特に、ハイライトカラー印刷の制御を行う画像処理装置および方法に関する。
【背景技術】
【０００２】
従来、黒＋１色の印刷が可能なハイライトカラー印刷では、入力画像に応じて色変換に用いるマッピングテーブルまたは変換式を置き換え、プリンタが想定する見栄えの良い印刷結果を必ず出力するものであった。
【０００３】
ただし、従来のハイライトカラー印刷では、１つの印刷ジョブに対して１色しか印刷することができないため、ページ単位で異なるハイライトカラーを必要とする印刷ジョブを印刷することはできない。
【０００４】
そこで、従来のカラー印刷では、例えば、カラー印刷において、カラートナーのうち１色がトナー切れを起こしたときに、トナーカートリッジの交換を待つことなく、モノカラーで印刷を続ける印削方法およびその装置がある（例えば、特許文献１参照。）。
【０００５】
更に、例えば、インク切れ等印刷に必要な資材がなくなった場合、印刷ジョブを保留し、資材補給後に続きの印刷を再開する印刷システム、印刷制御方法および印刷装置がある（例えば、特許文献２参照。）。
【特許文献１】特開２００２−３６５８７１号公報
【特許文献２】特開２００４−２８８０３２号公報
【発明の開示】
【発明が解決しようとする課題】
【０００６】
しかし、特許文献１に記載の技術をハイライトカラー印刷に適用したとしても、ユーザの指定通りの出力結果を得ることはできず、また、特許文献２に記載の技術をハイライトカラー印刷に適用したとしても、印刷ジョブで、現在セットされているトナー色と異なる色を必要とするページが出現するたびに、トナーを交換しなければならないため、効率が悪くなる。
【０００７】
そこで、本発明は、ハイライトカラー印刷において、複数のトナー色が混在する印刷ジョブを効率的に印刷することが可能な画像処理装置および方法を提供することを目的とする。
【課題を解決するための手段】
【０００８】
上記目的を達成するため、請求項１の発明は、画像データを処理してプリント画像データを作成し、該作成したプリント画像データを画像形成装置に出力する画像処理装置において、前記画像データの処理を印刷ジョブとして制御する印刷ジョブ制御手段と、前記画像形成装置に実装されている印刷資源に応じて、ページ毎の印刷の許可／保留を判定する印刷判定手段とを具備し、前記印刷ジョブ制御手段は、前記印刷判定手段で印刷の許可が判定されたページのみを印刷することを特徴とする。
【０００９】
また、請求項２の発明は、請求項１の発明において、前記印刷判定手段は、前記画像形成装置に実装されている印刷資源で印刷が可能なページの印刷を許可することを特徴とする。
【００１０】
また、請求項３の発明は、請求項２の発明において、前記画像形成装置は、前記印刷資源として少なくとも２色分のトナーを実装し、前記印刷判定手段は、前記画像形成装置に実装されているトナーで印刷が可能なページの印刷を許可することを特徴とする。
【００１１】
また、請求項４の発明は、請求項３の発明において、前記印刷ジョブ制御手段は、前記印刷の許可が判定されたページを印刷済みページとして記憶し、前記印刷の保留が判定されたページを未印刷ページとして記憶し、前記印刷判定手段は、前記画像形成装置のトナーが交換された際に、前記印刷ジョブ制御手段で記憶された未印刷ページから前記交換されたトナーで印刷が可能なページの印刷を許可することを特徴とする。
【００１２】
また、請求項５の発明は、請求項４の発明において、前記画像形成装置は、前記印刷資源として少なくとも１つの交換不可能な固定トナー、および少なくとも１つの交換可能な交換トナーを実装し、前記印刷判定手段は、前記交換トナーでしか印刷が不可能なページの印刷を許可し、前記固定トナーのみで印刷が可能なページの印刷を保留することを特徴とする。
【００１３】
また、請求項６の発明は、請求項４の発明において、前記印刷ジョブ制御手段は、全てのページが印刷済みとして記憶したときに、前記印刷ジョブを終了することを特徴とする。
【００１４】
また、請求項７の発明は、請求項４の発明において、前記印刷ジョブ制御手段は、前記印刷ジョブが終了したとき、印刷された用紙がページ順に並ぶように、前記画像形成装置の出力処理を制御することを特徴とする。
【００１５】
また、請求項８の発明は、請求項１の発明において、前記印刷ジョブ制御手段は、前記印刷の許可が判定されたページを印刷する際に、所定枚数毎に合紙を出力することを特徴とする。
【００１６】
また、請求項９の発明は、請求項６の発明において、前記印刷ジョブ制御手段は、前記印刷の許可が判定されたページの印刷が終了したとき、他の印刷ジョブが存在する場合、該他の印刷ジョブの処理を行うことを特徴とする。
【００１７】
また、請求項１０の発明は、請求項６の発明において、前記印刷ジョブ制御手段は、前記印刷ジョブが終了するまで他の印刷ジョブの処理を行わないことを特徴とする。
【００１８】
また、請求項１１の発明は、画像データを処理してプリント画像データを作成し、該作成したプリント画像データを画像形成装置に出力する画像処理方法において、印刷ジョブ制御手段が、前記画像データの処理を印刷ジョブとして制御し、印刷判定手段が、前記画像形成装置に実装されている印刷資源に応じて、ページ毎の印刷の許可／保留を判定し、前記印刷ジョブ制御手段が、前記印刷の許可が判定されたページのみを印刷することを特徴とする。
【００１９】
また、請求項１２の発明は、請求項１１の発明において、前記印刷判定手段は、前記画像形成装置に実装されている印刷資源で印刷が可能なページの印刷を許可することを特徴とする。
【００２０】
また、請求項１３の発明は、請求項１２の発明において、前記画像形成装置は、前記印刷資源として少なくとも２色分のトナーを実装し、前記印刷判定手段は、前記画像形成装置に実装されているトナーで印刷が可能なページの印刷を許可することを特徴とする。
【００２１】
また、請求項１４の発明は、請求項１３の発明において、前記印刷ジョブ制御手段は、前記印刷の許可が判定されたページを印刷済みページとして記憶し、前記印刷の保留が判定されたページを未印刷ページとして記憶し、前記印刷判定手段は、前記画像形成装置のトナーが交換された際に、前記記憶された未印刷ページから前記交換されたトナーで印刷が可能なページの印刷を許可することを特徴とする。
【００２２】
また、請求項１５の発明は、請求項１４の発明において、前記画像形成装置は、前記印刷資源として少なくとも１つの交換不可能な固定トナー、および少なくとも１つの交換可能な交換トナーを実装し、前記印刷判定手段は、前記交換トナーでしか印刷が不可能なページの印刷を許可し、前記固定トナーのみで印刷が可能なページの印刷を保留することを特徴とする。
【００２３】
また、請求項１６の発明は、請求項１４の発明において、前記印刷ジョブ制御手段は、全てのページが印刷済みとして記憶したときに、前記印刷ジョブを終了することを特徴とする。
【００２４】
また、請求項１７の発明は、請求項１４の発明において、前記印刷ジョブ制御手段は、前記印刷ジョブが終了したとき、印刷された用紙がページ順に並ぶように、前記画像形成装置の出力処理を制御することを特徴とする。
【００２５】
また、請求項１８の発明は、請求項１１の発明において、前記印刷ジョブ制御手段は、前記印刷の許可が判定されたページを印刷する際に、所定枚数毎に合紙を出力することを特徴とする。
【００２６】
また、請求項１９の発明は、請求項１６の発明において、前記印刷ジョブ制御手段は、前記印刷の許可が判定されたページの印刷が終了したとき、他の印刷ジョブが存在する場合、該他の印刷ジョブの処理を行うことを特徴とする。
【００２７】
また、請求項２０の発明は、請求項１６の発明において、前記印刷ジョブ制御手段は、前記印刷ジョブが終了するまで他の印刷ジョブの処理を行わないことを特徴とする。
【発明の効果】
【００２８】
本発明によれば、ハイライトカラー印刷において、複数のトナー色が混在する印刷ジョブを効率的に印刷することが可能になるという効果を奏する。
【発明を実施するための最良の形態】
【００２９】
以下、本発明に係る画像処理装置および方法の実施の形態について添付図面を参照して詳細に説明する。
【００３０】
図１は、本発明に係る画像処理装置２を適用した画像形成システム１の構成の一例を示す概略ブロック図である。
【００３１】
図１に示すように、画像形成システムは、画像データを入力する画像入力装置３、画像入力装置から受け付けた画像データ（Ｒ、Ｇ、Ｂから成るカラーデータ、またはモノクロのデジタルデータ）を処理してプリント画像データを作成する画像処理装置、画像処理装置により作成されたプリント画像データに基づいて記録媒体上に画像を形成する画像形成装置４を具備して構成される。なお、画像入力装置、画像処理装置および画像形成装置を別々の装置とする構成の画像形成システムを一例として提示するが、本発明においては画像入力装置と画像処理装置と画像形成装置とを一体の装置としても良いし、画像入力装置と画像処理装置とを一体の装置としても良いし、画像処理装置と画像形成装置とが一体の装置としても良い。
【００３２】
ここで、画像形成装置は、黒＋１色（以後、この＋１色のことを実装色と称する）の印刷が可能なハイライトカラー印刷装置である。
【００３３】
画像処理装置は、ＲＩＰ処理部５、印刷ジョブ制御部６、プリント画像データ作成部７、ＵＩ８を備えている。
【００３４】
ＲＩＰ処理部は、画像入力装置から受け付けた画像データに対してＲＩＰ［Raster Image Processor］処理（プリンタ制御コードで記述された画像データを印刷または表示が可能なビットマップデータに展開する処理）を実行してピクセル毎にＹ（イエロー）、Ｍ（マゼンタ）、Ｃ（シアン）、Ｋ（黒）の画像データ（または、ＲＧＢの画像データ）を作成する。
【００３５】
印刷ジョブ制御部は、ＲＩＰ処理部でＲＩＰ処理が実行された画像データの処理を印刷ジョブとして管理する。
【００３６】
なお、印刷ジョブ制御部は、ＲＩＰ処理が実行された画像データの印刷判定を行う印刷判定手段９を備えている。具体的に、印刷判定手段は、画像データに黒以外の色が使用されていることを認識した場合、当該色が画像形成装置の実装色と一致するか否か判定し、実装色と一致すると判定した場合は画像データの印刷を許可し、実装色と一致しないと判定した場合は画像データの印刷を保留するという印刷判定を行い、印刷ジョブ制御部は印刷判定手段が印刷判定に従って画像データの印刷または印刷の保留の制御を行う。
【００３７】
なお、印刷判定手段は、画像データが複数のページで構成されている場合、各ページに対して印刷判定を行い、印刷ジョブ制御部は印刷判定手段の各ページに対する印刷判定に従って各ページの印刷または印刷の保留の制御を行なう。
【００３８】
プリント画像データ作成部は、画像データを、黒と実装色の２色にマッピングし、２色分のプリント画像データを作成する処理を行う。
【００３９】
ＵＩは、画像処理装置に対する種々の指示の入力、および画像処理装置からユーザに対する通知の表示を行うユーザインターフェースである。
【００４０】
画像形成装置は、画像処理装置から受け取ったプリント画像データに基づいて記録媒体上に画像を形成する画像形成部１０、画像形成部が記録媒体上に画像を形成する際に用いられるトナー（第１のトナー、第２のトナー）を管理するトナー管理部１１、画像形成部に記録媒体を供給する給紙部１２、画像形成部で画像形成された記録媒体を出力する出力トレイ１３を備えている。
【００４１】
ここで、印刷ジョブ制御部が行う印刷ジョブの制御について、図２に示す具体例を参照して説明する。
【００４２】
始めに黒および実装色として赤を搭載した画像形成装置に対して図２（ａ）に示す印刷ジョブを処理する場合を具体例として挙げる。
【００４３】
図２（ａ）に示す印刷ジョブは、８ページから構成され、１ページ目は黒のみが使用され、２ページ目は赤および黒が使用され、３ページ目は黒のみが使用され、４ページ目は青および黒が使用され、５ページ目は黒のみが使用され、６ページ目は赤および黒が使用され、７ページ目は青および黒が使用され、８ページ目には黒のみが使用されている。
【００４４】
印刷ジョブ制御部は図２（ａ）に示す印刷ジョブを受け付けると、各ページ毎に黒以外の色が使用されていることを認識し、当該色が画像形成装置の実装色と一致するか否か判定し、実装色と一致すると判定した場合は画像データの印刷を許可し、実装色と一致しないと判定した場合は画像データの印刷を保留するという印刷判定を行う。具体的には、１ページ目は黒のみが使用されているので１ページ目は印刷を許可し、２ページ目は黒以外に赤が使用されているが、赤は画像形成装置の実装色であるので２ページ目は印刷を許可し、３ページ目は黒のみが使用されているので３ページ目は印刷を許可し、４ページ目は黒以外に画像形成装置が搭載していない青が使用されているので４ページ目は印刷を保留し、５ページ目は黒のみが使用されているので５ページ目は印刷を許可し、６ページ目は黒以外に赤が使用されているが、赤は画像形成装置の実装色であるので６ページ目は印刷を許可し、７ページ目は黒以外に画像形成装置が搭載していない青が使用されているので７ページ目は印刷を保留し、８ページ目は黒のみが使用されているので８ページ目は印刷を許可する。
【００４５】
従って、図２（ｂ）に示すように、画像形成装置では１ページ目、２ページ目、３ページ目、５ページ目、６ページ目および８ページ目が印刷され、４ページ目および７ページ目は印刷されない。
【００４６】
そして、印刷ジョブ制御部は、図２（ｃ）に示すように、印刷した１ページ目、２ページ目、３ページ目、５ページ目、６ページ目および８ページ目を印刷済みのページとして記憶し、印刷しなかった４ページ目および７ページ目を未印刷のページとして記憶しておく。
【００４７】
そして、ユーザの手により、画像形成装置の実装色が赤から青に交換（即ち、赤のトナーから青トナーに交換）され、更に、先程印刷した１ページ目、２ページ目、３ページ目、５ページ目、６ページ目および８ページ目の用紙が給紙部にセットされ、ＵＩを介して印刷再開等の指示が入力されると、印刷ジョブ制御部は印刷ジョブの処理を再開する。具体的には、図２（ｃ）に示すように、１ページ目は印刷済みのページであると記憶されているので、給紙部にセットされた用紙を１枚（即ち、ユーザの手によりセットされた１ページ目）を出力トレイに出力し、２ページ目は印刷済みのページであると記憶されているので、給紙部にセットされた２ページ目を出力トレイに出力し、３ページ目は印刷済みのページであると記憶されているので、給紙部にセットされた３ページ目を出力トレイに出力し、４ページ目は未印刷のページであると記憶されているので、４ページ目に使用されている青が画像形成装置の実装色と一致するか否か判定し、青は画像形成装置の実装色であるので４ページ目は印刷を許可し、５ページ目は印刷済みのページであると記憶されているので、給紙部にセットされた５ページ目を出力トレイに出力し、６ページ目は印刷済みのページであると記憶されているので、給紙部にセットされた６ページ目を出力トレイに出力し、７ページ目は未印刷のページであると記憶されているので、７ページ目に使用されている青が画像形成装置の実装色と一致するか否か判定し、青は画像形成装置の実装色であるので７ページ目は印刷を許可し、７ページ目は印刷済みのページであると記憶されているので、給紙部にセットされた７ページ目を出力トレイに出力する。
【００４８】
そして、印刷ジョブ制御部は、図２（ｄ）に示すように、印刷した４ページ目および８ページ目を印刷済みのページとして記憶し、全てのページが印刷済みのページになったことを確認すると、印刷ジョブの処理を終了する。
【００４９】
従って、図２（ｃ）に示すように、画像形成装置では１ページ目〜８ページ目が全て印刷されたことになり、更に、出力トレイにはページ順に用紙が出力されている。
【００５０】
なお、上述した具体例では、印刷ジョブに赤を必要としているページ、および青を必要としているページがあるが、これ以外にも他の色を必要としているページがある場合は、全てのページが印刷済みになるまで上述した印刷ジョブの処理を繰り返す。
【００５１】
また、画像形成装置内に給紙可能なスタック部がある場合は、印刷したページの用紙を内部トレイに出力し、システムがどの給紙部から印刷済みの用紙を給紙するのかの情報を決定することで、ユーザが給紙部の情報をセットしたり保留解除する必要はなく、トナーが交換されたら、自動で印刷ジョブの処理を再開することができる。
【００５２】
また、上述した具体例では、始めは画像形成装置に赤を実装色として搭載していたため、赤を必要としているページとともに、黒のみを必要としてるページも印刷していたが、黒のみを必要としているページは何時でも印刷することが可能なので、始めは赤を必要としているページのみを印刷（即ち、２ページ目および６ページ目を印刷）することで、後で印刷するページの数は多くなるが、給紙部にセットする印刷済みのページの数は少なくなる。
【００５３】
また、上述した具体例では、始めは赤を実装色として搭載しているので、赤を必要としているページを印刷し、当該ページのみを出力トレイに出力していたが、青を必要としているページは印刷を行わずに白紙として出力トレイに出力し、次に青を必要としているページを印刷する際に、全てのページを給紙部にセットし、白紙のページのみを印刷することが可能なので、ユーザは出力トレイに出力された全てのページを単に給紙部にセットすれば良い。
【００５４】
また、上述した具体例において、給紙部に５００枚までセット可能である画像形成装置に対して、図２（ａ）に示す印刷ジョブを１００部印刷させる場合、８３部目（４９８枚目［６枚×８３部］）を出力したところで目印として合紙を出力し、複数の給紙部に用紙をセットすることが可能であれば、ユーザは合紙を目印として合紙の前後に分けて給紙部にセットすれば良い。ただし、複数の給紙部に用紙をセットすることが不可能であれば、ユーザは合紙を目印として、始めに合紙の前の用紙の束を給紙部にセットし、用紙がなくなった時点で合紙の後の用紙の束を給紙部にセットすれば良い。
【００５５】
また、印刷判定で印刷が許可されたページを印刷した後に、他の印刷ジョブを受け付けていた場合、一旦印刷ジョブの処理を中断して他の印刷ジョブを優先的に処理するモード、および印刷ジョブの処理を中断せずに処理が終了するまで他の印刷ジョブを処理しないモードを設けることができ、このモードの設定はＵＩからユーザが自由に設定することができる。
【００５６】
次に、画像処理装置における印刷ジョブの制御処理について図３および図４に示すフローチャートを参照して説明する。
【００５７】
画像処理装置は画像入力装置から画像データを受け付けると（ステップＳ３０１）、受け付けた画像データに対してＲＩＰ処理を実行し（ステップＳ３０２）、ページ番号を示すＮを「０」に設定し（ステップＳ３０３）、Ｎを「Ｎ＋１」に設定し（ステップＳ３０４）、Ｎページ目の印刷判定を実行し（ステップＳ３０５）、Ｎページ目の印刷が許可された場合（ステップＳ３０６でＹＥＳ）、ステップＳ３０７に進み、また、Ｎページ目の印刷が許可されなかった場合（ステップＳ３０６でＮＯ）、ステップＳ３１０に進む。
【００５８】
ステップＳ３０６において、Ｎページ目の印刷が許可された場合（ステップＳ３０６でＹＥＳ）、Ｎページ目のプリント画像データを作成し（ステップＳ３０７）、作成したＮページ目のプリント画像データを画像形成装置に対して出力し（ステップＳ３０８）、Ｎページ目を印刷済みのページとして記憶し（ステップＳ３０９）、ステップＳ３１２に進む。
【００５９】
ステップＳ３０６において、Ｎページ目の印刷が許可されなかった場合（ステップＳ３０６でＮＯ）、Ｎページ目の印刷を保留し（ステップＳ３１０）、Ｎページ目を未印刷のページとして記憶し（ステップＳ３１１）、ステップＳ３１２に進む。
【００６０】
そして、Ｎページ目が最終ページでない場合（ステップＳ３１２でＮＯ）、ステップＳ３０４に戻り、また、Ｎページ目が最終ページである場合（ステップＳ３１２でＹＥＳ）、図４に示すフローチャートのステップＳ４０１に進む。
【００６１】
ユーザの手により画像形成装置のトナーが交換されると（ステップＳ４０１でＹＥＳ）、ページ番号を示すＮを「０」に設定し（ステップＳ４０２）、Ｎを「Ｎ＋１」に設定し（ステップＳ４０３）、Ｎページ目が印刷済みのページであるか否か確認し（ステップＳ４０４）、Ｎページ目が印刷済みのページである場合（ステップＳ４０４でＮＯ）、ステップＳ４０５に進み、また、Ｎページ目が未印刷のページである場合（ステップＳ４０４でＹＥＳ）、ステップＳ４０６に進む。
【００６２】
ステップＳ４０４において、Ｎページ目が印刷済みのページである場合（ステップＳ４０４でＮＯ）、画像形成装置に対してＮページ目の用紙の出力トレイへの排紙を指示し（ステップＳ４０５）、ステップＳ４１３に進む。
【００６３】
ステップＳ４０４において、Ｎページ目が未印刷のページである場合（ステップＳ４０４でＹＥＳ）、Ｎページ目の印刷判定を実行し（ステップＳ４０６）、Ｎページ目の印刷が許可された場合（ステップＳ４０７でＹＥＳ）、ステップＳ４０８に進み、また、Ｎページ目の印刷が許可されなかった場合（ステップＳ４０７でＮＯ）、ステップＳ４１１に進む。
【００６４】
ステップＳ４０７において、Ｎページ目の印刷が許可された場合（ステップＳ４０７でＹＥＳ）、Ｎページ目のプリント画像データを作成し（ステップＳ４０８）、作成したＮページ目のプリント画像データを画像形成装置に対して出力し（ステップＳ４０９）、Ｎページ目を印刷済みのページとして記憶し（ステップＳ４１０）、ステップＳ４１３に進む。
【００６５】
ステップＳ４０７において、Ｎページ目の印刷が許可されなかった場合（ステップＳ４０７でＮＯ）、Ｎページ目の印刷を保留し（ステップＳ４１１）、Ｎページ目を未印刷のページとして記憶し（ステップＳ４１２）、ステップＳ４１３に進む。
【００６６】
そして、Ｎページ目が最終ページでない場合（ステップＳ４１３でＮＯ）、ステップＳ４０３に戻り、また、Ｎページ目が最終ページである場合（ステップＳ４１３でＹＥＳ）、全てのページが印刷済みであるか否か確認し（ステップＳ４１４）、全てのページが印刷済みではない場合（ステップＳ４１４でＮＯ）、ステップＳ４０１に戻り、また、全てのページが印刷済みである場合（ステップＳ４１４でＹＥＳ）、図４に示すフローチャートの処理を終了する。
【００６７】
本発明は、上記し、且つ図面に示した実施例に限定することなく、その要旨を変更しない範囲内で適宜変形して実施できるものである。
【図面の簡単な説明】
【００６８】
【図１】本発明に係る画像処理装置を適用した画像形成システムの構成の一例を示す概略ブロック図である。
【図２】印刷ジョブ制御部が行う印刷ジョブの制御について説明する具体例である。
【図３】画像処理装置における印刷ジョブの制御処理について示すフローチャートである。
【図４】画像処理装置における印刷ジョブの制御処理について示すフローチャートである。
【符号の説明】
【００６９】
１    画像形成システム
２    画像処理装置
３    画像入力装置
４    画像形成装置
５    ＲＩＰ処理部
６    印刷ジョブ制御部
７    プリント画像データ作成部
８    ＵＩ
９    印刷判定部
１０    画像形成部
１１    トナー管理部
１２    給紙部
１３    出力トレイ
【図１】
2008093976.tif 000003
【図２】
2008093976.tif 000004
【図３】
2008093976.tif 000005
【図４】
2008093976.tif 000006